(57)【要約】【課題】  鉄筋コンクリート外断熱建物に対し、鉄筋コンクリートバルコニー及び鉄筋コンクリート袖壁を、断熱層を介してコンクリート外壁と熱遮断して、熱橋作用を抑制し、且つ、安全性を確保して構築可能とする。【解決手段】  鉄筋コンクリート建物のコンクリート外壁Ｗは、断熱層２Ｂと外装下地材２Ａとを層着した複合パネル２で外断熱被覆し、コンクリート外壁Ｗから、水平突出するコンクリートバルコニー床スラブＳＢ及び垂直突出するコンクリート袖壁５は、共に、断熱層４Ｂ，３Ｂを介在させて断熱層４Ｂ，３Ｂを貫通する連結筋１，６の一半をコンクリート躯体ＣＦ内に、他半をバルコニー床スラブＳＢ内及び袖壁５内に定着して、連結筋１，６によってコンクリート外壁Ｗから突出支持し、且つ、バルコニー床スラブＳＢの側端Ｂｓを袖壁５に剛接合し、袖壁５の下端は基礎Ｆで支持し、コンクリート外壁Ｗからのバルコニー床スラブＳＢ及び袖壁５の突出付設物を、角筒形状の剛構造で、且つ、コンクリート外壁Ｗから断熱層４Ｂ，３Ｂによる熱遮断で突出付設する。【選択図】    図１
2008127754.tif 000002
【特許請求の範囲】
【請求項１】
鉄筋コンクリート造外断熱建物のコンクリート外壁（Ｗ）から、鉄筋コンクリートのバルコニー床スラブ（ＳＢ）、及び鉄筋コンクリートの袖壁（５）を突出付設した外壁構造であって、コンクリート外壁（Ｗ）は、断熱層（２Ｂ）と外装下地材（２Ａ）とを層着した複合パネル（２）によって外断熱被覆し、バルコニー床スラブ（ＳＢ）は、基端（Ｂｂ）全面を横長の断熱層（４Ｂ）で外壁表面（Ｗｆ）と熱的に遮断して、断熱層（４Ｂ）を貫通する連結筋（１，６）の一半の突出部（ＡＰ）をコンクリート躯体（ＣＦ）内に、他半の突出部（ＢＰ）をバルコニー床スラブ（ＳＢ）内に固定すると共に、側端（Ｂｓ）を袖壁（５）で支承し、袖壁（５）は、基端（５ｂ）全面を縦長の断熱層（３Ｂ）で外壁表面（Ｗｆ）と熱的に遮断して、断熱層（３Ｂ）を貫通する連結筋（１，６）の一半の突出部（ＡＰ）をコンクリート躯体（ＣＦ）内に、他半の突出部（ＢＰ）を袖壁（５）内に固定すると共に、下端を基礎（Ｆ）で支承し、袖壁（５）の垂直応力を基礎（Ｆ）に伝達負荷させる、鉄筋コンクリート造外断熱建物の外壁構造。
【請求項２】
コンクリート躯体（ＣＦ）から水平に突出する庇スラブ（ＲＢ）の基端（Ｂｂ）及び屋上パラペット（Ｐ´）の基端（Ｐ´ｂ）を、コンクリート躯体（ＣＦ）と断熱層（４Ｂ，３Ｂ´）で熱的に遮断し、断熱層（４Ｂ，３Ｂ´）を貫通する連結筋（１，６）を介して、庇スラブ（ＲＢ）及び屋上パラペット（Ｐ´）をコンクリート躯体（ＣＦ）に突出付設した、請求項１の外壁構造。
【請求項３】
バルコニー床スラブ（ＳＢ）及び袖壁（５）用連結筋（１）が、Ｚ上端筋（１Ｕ）とＺ下端筋（１Ｄ）とを、水平上辺部（１Ｕ´）、中間傾斜部（１Ｓ）及び水平下辺部（１Ｄ´）から成るＺトラス筋（１Ｍ）で、上下方向に応力中心距離（Ｌ１５）を保って一体化固着したＺ筋（１）である、請求項１又は２の外壁構造。
【請求項４】
バルコニー床スラブ（ＳＢ）を熱遮断する断熱層（４Ｂ）、及び袖壁（５）を熱遮断する断熱層（３Ｂ）が、共に、複合パネル（２）の断熱層（２Ｂ）と同一材料で、且つ、同一厚さである、請求項１、又は２、又は３の外壁構造。
【請求項５】
複合パネル断熱層（２Ｂ）、バルコニー床スラブ断熱層（４Ｂ）及び袖壁断熱層（３Ｂ）は、各断熱層（２Ｂ，４Ｂ，３Ｂ）の端辺に形成したスリット溝（２Ｇ，４Ｇ，３Ｇ）への接合板（３Ａ）の嵌入によって衝合当接した、請求項１乃至４のいずれか１項の外壁構造。
【請求項６】
Ｚ筋（１）の中間傾斜部（１Ｓ）が、断熱層（４Ｂ，３Ｂ）内で、断熱層厚（ＴＢ）全域に亘って傾斜配置して、断熱層（４Ｂ，３Ｂ）に剛構造機能を付与した、請求項１乃至５のいずれか１項の外壁構造。
【請求項７】
連結筋（１，６）は、コンクリート躯体（ＣＦ）内固着用の突出部（ＡＰ）が屈曲して、コンクリート外壁（Ｗ）内で固定している、請求項１乃至６のいずれか１項の外壁構造。
【請求項８】
複合パネル（２）が、コンクリート外壁（Ｗ）より透湿抵抗の小さな発泡プラスチック系断熱層（２Ｂ）と、該断熱層（２Ｂ）より透湿抵抗の小さな外装下地材（２Ａ）とを層着一体化したパネルである、請求項１乃至７のいずれか１項の外壁構造。
【請求項９】
横長形態の発泡プラスチック系断熱層（４Ｂ）にＺ筋（１）を貫通保持した、バルコニー床スラブ（ＳＢ）を片持ち支持するための断熱支持パネル（４）であって、断熱層（４Ｂ）は、上下方向に長孔形態の挿入用孔（Ｈ１）を備えて、厚さ（ＴＢ）が、コンクリート壁（Ｗ）を外断熱被覆する複合パネル（２）の断熱層（２Ｂ）と同厚であり、高さ（６ｈ）が、少なくとも、片持ち支持するバルコニー床スラブ（ＳＢ）の基端（Ｂｂ）の厚さ（ＴＳ）であり、Ｚ筋（１）は、Ｚ上端筋（１Ｕ）とＺ下端筋（１Ｄ）とを、水平上辺部（１Ｕ´）、中間傾斜部（１Ｓ）及び水平下辺部（１Ｄ´）から成るＺトラス筋（１Ｍ）で、上下に、応力中心距離（Ｌ１５）を保って一体化したものであり、断熱層（４Ｂ）の挿入用孔（Ｈ１）から突出するＺ筋（１）の、一半の突出部（ＡＰ）をコンクリート躯体（ＣＦ）内への固定部とし、他半の突出部（ＢＰ）をバルコニー床スラブ（ＳＢ）内への固定部とした、バルコニー床スラブ支持用断熱支持パネル。
【請求項１０】
断熱層（４Ｂ）の上面、下面、及び左右両側面の、他の断熱層との当接面の幅中央に、スリット溝（４Ｇ）を配置した、請求項９の断熱支持パネル。
【請求項１１】
Ｚ筋（１）は、Ｚトラス筋（１Ｍ）の中間傾斜部（１Ｓ）が、外方から内方へと降下する４５°傾斜であり、中間傾斜部（１Ｓ）を断熱層（４Ｂ）の厚さ（ＴＢ）全域に介在して、断熱層（４Ｂ）に剛構造機能を付与した、請求項９又は１０の断熱支持パネル。
【請求項１２】
縦長形態の発泡プラスチック系断熱層（３Ｂ）に連結筋（６）を貫通保持した、コンクリート袖壁（５）を片持ち支持するための断熱支持パネル（３）であって、断熱層（３Ｂ）は、正方形の挿入用孔（Ｈ４）を備え、厚さ（ＴＢ）が、コンクリート壁（Ｗ）を外断熱被覆する複合パネル（２）の断熱層（２Ｂ）と同厚であり、左右幅（Ｗ３）が、コンクリート袖壁（５）の壁厚（Ｔ５）と、少なくとも同寸であり、連結筋（６）は単本形態であって、断熱層（３Ｂ）の挿入用孔（Ｈ４）から突出する連結筋（６）の、一半の突出部（ＡＰ）をコンクリート躯体（ＣＦ）内への固着部とし、他半の突出部（ＢＰ）をコンクリート袖壁（５）内への固着部とした、コンクリート袖壁支持用断熱支持パネル。
【請求項１３】
断熱層（３Ｂ）の、他の断熱層との当接面の幅中央に、スリット溝（３Ｇ）を配置した、請求項１２の断熱支持パネル。
【請求項１４】
連結筋（１，６）は、断熱層（３Ｂ，４Ｂ）の挿入用孔（Ｈ１，Ｈ４）を貫通し、挿入用孔（Ｈ１，Ｈ４）内では、断熱耐火材（３Ｅ）で連結筋（１，６）を充填被覆保持した、請求項９乃至１３のいずれか１項の断熱支持パネル。
【請求項１５】
連結筋（１，６）挿入用孔（Ｈ１，Ｈ４）の一側外面を、連結筋挿入用円孔（Ｈ２，Ｈ２´，Ｈ３，Ｈ６）を備えた座板（７）で貼着閉止した、請求項９乃至１４のいずれか１項の断熱支持パネル。
【請求項１６】
連結筋（１，６）の突出部（ＡＰ）が、コンクリート躯体（ＣＦ）内固着用に、実質上９０°折曲している、請求項９乃至１５のいずれか１項の断熱支持パネル。
【発明の詳細な説明】
【技術分野】
【０００１】
本発明は、鉄筋コンクリート造外断熱建物の外壁から、バルコニー、庇、外廊下など（以下、本明細書中ではバルコニーと称する）を、コンクリート外壁に片持ち形式で突設した水平突出物と、下端を基礎に接合して、垂直応力を基礎に負荷させる、バルコニー袖壁、ポーチ袖壁、外壁から突出する化粧壁など（以下、本明細書中では袖壁と称する）の垂直突出物とを、一体として突出構築した外壁構造であり、建築の技術分野に属するものである。
【背景技術】
【０００２】
鉄筋コンクリート造の外断熱建物は、コンクリート躯体の外面を断熱層で被覆するため、太陽日射のコンクリート躯体への熱応力が微小となって、コンクリート躯体のひび割れが抑制出来ること、コンクリート躯体が空気に接触しないために、コンクリートの中性化が抑制出来、鉄筋棒鋼の腐蝕が防止出来て建物の耐久性が向上すること、更には、建物内の温度環境が好適に維持出来ると共に、結露が少なくて、カビ、ダニの発生が抑制出来、健康面でも優れた住環境が提供出来るため、高性能の耐久性建物として評価されている。
【０００３】
しかし、建物外壁より、鉄筋コンクリートバルコニー、及び鉄筋コンクリート袖壁を突出形成する外断熱建物にあっては、鉄筋コンクリートバルコニー床スラブ及び鉄筋コンクリート袖壁が、コンクリートの建物躯体内部への熱橋となるため、外断熱鉄筋コンクリート建物にあって、鉄筋コンクリートバルコニーの床スラブや、鉄筋コンクリート袖壁からのコンクリート躯体への熱橋作用の抑制は、強く望まれており、該問題の解決手段として、既に、バルコニー床スラブの熱橋低減手段としては、図１０に示す従来例１が、コンクリート袖壁の熱橋低減手段としては、図１１（Ａ），（Ｂ）に示す従来例２、及び図１１（Ｃ），（Ｄ）に示す従来例３の工法が提案されている。
【０００４】
図１０に示す従来例１は、特許文献１中で従来例１として挙げられたものであって、図１０（Ａ）はバルコニー側面図であり、図１０（Ｂ）は使用する支持鉄筋ユニットの側面図、図１０（Ｃ）は鉄筋ユニットの平面図である。
従来例１（図１０）のバルコニー床スラブに於ける熱橋抑制手段は、図１０（Ｂ），（Ｃ）に示す如く、断熱材上部に多数の長尺連結鉄筋群を串刺し状態で並列配置すると共に、断熱材下部には圧縮用鉄筋群を配置し、各圧縮用鉄筋の両端の支圧板を断熱材から突出させると共に、各ラチス筋を圧縮用鉄筋の近傍に配置して、ラチス筋の両側延長部を断熱材上部の長尺連結鉄筋間に並列延出した熱橋低減ユニットを、図１０（Ａ）に示す如く、バルコニー用型枠と住戸躯体用型枠とに差渡し状に配置して、コンクリート打設によりコンクリートバルコニーを、熱橋低減用鉄筋ユニットで、住戸躯体から突設支持するものである。
【０００５】
また、図１１は、バルコニー床スラブ及びコンクリート袖壁からの熱橋抑制手段であって、非特許文献に挙げられたものであって、図１１（Ａ）は、従来例２の横断面図、図１１（Ｂ）は従来例２の縦断面図であり、図１１（Ｃ）は、従来例３の横断面図であり、図１１（Ｄ）は従来例３の縦断面図である。
即ち、図１１（Ａ），（Ｂ）の従来例２にあっては、住居部から突出したバルコニー床スラブ及びコンクリート袖壁の全外周を、コンクリート外壁同様に、断熱被覆用の複合パネル、及び断熱材で被覆するものであり、図１１（Ｃ），（Ｄ）の従来例３にあっては、コンクリート外壁は複合パネルで断熱被覆するが、コンクリート外壁から突出したバルコニー床スラブ及び袖壁は、外断熱被覆することなく、コンクリート躯体内側、即ち、外壁の内側の、バルコニー床スラブ及びコンクリート袖壁からの熱橋作用を受ける部位に断熱材を貼着して、断熱機能を補強するものである。
【特許文献１】特開２００５−１８８０３６号公報
【非特許文献１】北海道外断熱協議会発行「２００３年版、ＲＣ造外断熱工法ハンドブック、第４０〜４７頁：熱損失係数の計算」の項
【発明の開示】
【発明が解決しようとする課題】
【０００６】
従来例１の鉄筋コンクリートバルコニーの構築にあっては、断熱材自体に多くの連続鉄筋、圧縮鉄筋を並列配置しているため、熱橋低減用鉄筋ユニット自体が嵩張る複雑な形状であって、鉄筋ユニットの効率的な運搬及び保管が出来ない。
また、バルコニー等の跳ね出し部は、大きさ、及び形状も様々であって、対応する鉄筋ユニットの準備が複雑、且つ困難である。
そして、型枠組み時には、住戸躯体側に配筋された鉄筋が邪魔になって、熱橋低減用鉄筋ユニットの配置、及び配筋固定が困難であり、バルコニー型枠及び住戸躯体型枠内での配筋組立てが困難、且つ煩雑な作業となる。
また、バルコニー床スラブと住戸躯体との境界面に熱橋低減用鉄筋ユニットを配置し、コンクリート躯体構築後に、コンクリート外壁に断熱材を張着する後貼り工法の外断熱建物となるため、施工性が悪く、汎用性が無い。
しかも、該従来例１の熱橋低減技術は、コンクリート袖壁の熱橋低減への適用は不可能である。
【０００７】
また、従来例２の、鉄筋コンクリートの、バルコニー床スラブ及び袖壁の構築手段にあっては、図１１（Ａ），（Ｂ）に示す如く、バルコニー床スラブの上下両面、及び先端面、袖壁の両側面、及び先端面、即ち、バルコニー床スラブ及び袖壁の全外周面を断熱材で被覆するため、バルコニー床スラブ及び袖壁は、外壁同様の外断熱構造とはなるが、バルコニー床スラブ及び袖壁の厚さが、被覆断熱材によって大きくなる欠陥があり、しかも、複合パネルの、バルコニー床スラブ及び袖壁の形態に対応した貼着、特に、先端面の貼着、及びバルコニー床スラブ上面への断熱材貼着の作業性が悪く、複合パネル及び断熱材の貼着施工によってコスト高となる。
【０００８】
また、従来例３の、鉄筋コンクリートのバルコニー床スラブ及び袖壁の構築手段にあっては、図１１（Ｃ），（Ｄ）に示す如く、バルコニー床スラブ及び袖壁は、複合パネルで被覆しないために、従来例２の如き厚さの増大の問題は生じないが、バルコニー床スラブ及び袖壁の熱橋を抑制するために、コンクリート躯体内面に断熱補強材を貼着することとなり、コンクリート躯体内での断熱補強では、熱橋の低減が７５％程度しか期待出来ず、従来例２（図１１（Ａ），（Ｂ））より熱橋低減率が低い。
【０００９】
しかも、従来例３（図１１（Ｃ），（Ｄ））にあっては、コンクリート躯体内面に、断熱補強材による段差が生じ、内装仕上げに際しては、断熱補強材の段差を解消するための、内装材貼着用の下地の施工も必要となり、内装仕上げの面での施工数、及びコストが増加する。
本発明は、これら従来例１，２，３の問題点を、一挙に解決、又は改善するものであって、鉄筋コンクリートのバルコニー床スラブ、及び鉄筋コンクリート袖壁を、共に、コンクリート躯体に、熱橋作用を抑制して突設するものであって、外断熱鉄筋コンクリート建物から突出するバルコニー及び袖壁のコンクリートを、コンクリート建物から熱的に遮断して合理的に構築する技術を提供するものである。
【課題を解決するための手段】
【００１０】
本願の鉄筋コンクリート造外断熱建物の外壁構造の発明は、例えば図１に示す如く、鉄筋コンクリート造外断熱建物のコンクリート外壁Ｗから、鉄筋コンクリートのバルコニー床スラブＳＢ、及び鉄筋コンクリートの袖壁５を突出付設した外壁構造であって、コンクリート外壁Ｗは、断熱層２Ｂと外装下地材２Ａとを層着した複合パネル２によって外断熱被覆し、バルコニー床スラブＳＢは、基端Ｂｂ全面を横長の断熱層４Ｂで外壁表面Ｗｆと熱的に遮断して、断熱層４Ｂを貫通する連結筋１，６の一半の突出部ＡＰをコンクリート躯体ＣＦ内に、他半の突出部ＢＰをバルコニー床スラブＳＢ内に固定すると共に、側端Ｂｓを袖壁５で支承し、袖壁５は、基端５ｂ全面を縦長の断熱層３Ｂで外壁表面Ｗｆと熱的に遮断して、断熱層３Ｂを貫通する連結筋１，６の一半の突出部ＡＰをコンクリート躯体ＣＦ内に、他半の突出部ＢＰを袖壁５内に固定すると共に、下端を基礎Ｆで支承し、袖壁５の垂直応力を基礎Ｆに伝達負荷させるものである。
【００１１】
この場合、断熱層３Ｂ，４Ｂは、発泡プラスチック系断熱層であれば良く、典型的には、ＪＩＳＡ９５１１の発泡断熱材である。
また、連結筋１，６は、被支持体側、即ち、バルコニーＢ又は袖壁５側から支持体側、即ち、コンクリート躯体ＣＦ側に亘って延出し、且つ、被支持体を片持ち支持する支持鉄棒であれば良く、図５（Ｂ）に示すＺ筋１形態でも、図６（Ｂ）に示す単本形態でも良いが、片持ち支持形態で水平突出するバルコニーＢを単本形態の連結筋６で支承する際には、連結筋６の配置本数が多くなるため、また袖壁５は基礎Ｆで支持されるため、典型的には、バルコニー用は、図５（Ｂ）に示す、３本の鉄筋を一体化したトラス形態の、支持力の強大なＺ筋１であり、袖壁用は、図６（Ｂ）に示す、単本形態の連結筋６である。
【００１２】
そして、バルコニー床スラブＳＢ内へのＺ筋１の配置間隔、筋径、配置本数も、袖壁５内への連結筋６の配置間隔、筋径、配置本数も、構造計算を基に適宜決定すれば良いが、型枠組みの配筋作業性の観点から、バルコニー床スラブＳＢに対しては、少数のＺ筋１を、袖壁に対しては、少数の連結筋６又はＺ筋１を大間隔で配置するのが好ましい。
また、袖壁５は、上下端を、屋上の庇スラブＲＢ、バルコニー床スラブＳＢ、基礎梁ＦＧ及び基礎Ｆと剛接合となるので、風圧力による変位は無いため、連結筋１，６は、袖壁５が地震力によって前後に移動するのを阻止し、バルコニー床スラブＳＢ内の連結筋１，６群の応力負担を軽減するものである。
【００１３】
また、バルコニー床スラブＳＢは、コンクリート建物躯体ＣＦに対しては、連結筋１，６のみで支承するので、構造的には、バルコニー床スラブＳＢの長辺方向の上下端筋を袖壁５内に延出して両者を剛構造一体化すれば、バルコニー床スラブＳＢの負荷応力の一部は袖壁５で負担出来てバルコニーの変位が抑制出来るため、袖壁５間の中心間距離ＬＡの小さなバルコニーＢにあっては、単本形態の連結筋６の採用も可能となる。
そして、バルコニーＢの側端Ｂｓと袖壁５との剛構造一体化は、両者の隣接部でのコンクリートひび割れを抑制する効果も生ずる。
【００１４】
この場合、バルコニー床スラブＳＢの側端Ｂｓの袖壁５への支承は、例えば、図４の如く、床スラブＳＢの、長辺方向上端筋９Ａ及び長辺方向下端筋９Ｂを袖壁５内で定着すれば良く、床スラブＳＢの短辺方向の、上端筋９Ｃ及び下端筋９Ｄは、図３（Ｂ），（Ｃ）の如く、床スラブＳＢの先端のパラペットＰ内に定着し、補助筋１３を付加して強化し、パラペットＰ内の梁主筋１４を袖壁５内に定着すれば良い。
この場合、パラペットＰ内に肋筋１５を配置すれば、パラペットＰの梁機能が向上し、バルコニー床スラブＳＢの袖壁５による支承がより強固に達成出来る。
【００１５】
従って、本発明の外壁構造にあっては、鉄筋コンクリートの、バルコニー床スラブＳＢ及び袖壁５が、共に、断熱層４Ｂ，３Ｂでコンクリート建物躯体ＣＦと熱遮断され、バルコニー床スラブＳＢ及び袖壁５からコンクリート躯体ＣＦへの熱橋ルートは、外気→バルコニー床スラブ及び袖壁のコンクリート→連結筋→コンクリート躯体→居室内、のルートのみとなり、コンクリート躯体ＣＦ内への外部からの熱橋作用が顕著に抑制出来る。
【００１６】
そして、コンクリート躯体ＣＦの外壁Ｗ全面が複合パネル２で外断熱被覆されているため、バルコニー床スラブＳＢ及び袖壁５を外壁Ｗから突出付設しているにも関わらず、優れた外断熱機能を備えた外壁構造となる。
また、鉄筋コンクリートのバルコニー床スラブＳＢ及び袖壁５は、水平突出物としてのバルコニー床スラブＳＢと、垂直突出物としての袖壁５との、前方開放箱形状（方形筒形状、ハニカム形状）の構築物を、断熱層で熱的に遮断してコンクリート建物躯体ＣＦに付設した形態となるため、バルコニー床スラブＳＢ及び袖壁５は、設計面、施工面で自由度が大となり、建築物としての設計の自由度が大となる。
【００１７】
また、外壁構造の発明にあっては、図１に示す如く、コンクリート躯体ＣＦから水平に突出する庇スラブＲＢの基端Ｂｂ及び屋上パラペットＰ´の基端Ｐ´ｂを、コンクリート躯体ＣＦと断熱層４Ｂ，３Ｂ´で熱的に遮断し、断熱層４Ｂ，３Ｂ´を貫通する連結筋１，６を介して、庇スラブＲＢ及び屋上パラペットＰ´をコンクリート躯体ＣＦに突出付設するのが好ましい。
この場合、図２（Ｂ），（Ｃ）に示す如く、庇スラブＲＢは、バルコニー床スラブＳＢ同様に型枠組みすれば良く、また屋上パラペットＰ´は、図２（Ｃ）の如く、袖壁５用の断熱層３Ｂの上端に、屋上パラペットＰ´の断面形状に対応する、必要連結筋６を貫通装着した断熱層３Ｂ´を載置接続して型枠組みすれば良い。
【００１８】
尚、庇スラブＲＢは、寒冷地での積雪負荷対策としては、構造計算に基づいて連結筋としてＺ筋１を採用し、且つ、バルコニー床スラブＳＢでの配置Ｚ筋１よりも支持強度を大とすれば良い。
従って、得られる外壁構造は、屋上床スラブＲＳから水平に突出する庇スラブＲＢ及びパラペットＰ´を含め、コンクリート躯体ＣＦのコンクリート外壁Ｗ面から突出するコンクリート構造物の全てが、コンクリート建物躯体ＣＦとは、断熱層を介して熱的に遮断された構造部となり、コンクリート建物躯体ＣＦ内への外部からの熱橋作用は極端に低減出来る。
【００１９】
また、外壁構造の発明にあっては、バルコニー床スラブＳＢ及び袖壁５用連結筋１が、図５（Ｂ）に示す如く、Ｚ上端筋１ＵとＺ下端筋１Ｄとを、水平上辺部１Ｕ´、中間傾斜部１Ｓ及び水平下辺部１Ｄ´から成るＺトラス筋１Ｍで、上下方向に応力中心距離Ｌ１５を保って一体化固着したＺ筋１であるのが好ましい。
【００２０】
この場合、Ｚ上端筋１ＵとＺ下端筋１Ｄとが、上下に必要応力中心距離Ｌ１５（標準：９２mm）を保って一体化しているため、引張り応力用の上端筋と圧縮応力用の下端筋とを、別個独立的に配置する場合に比べて、遥かに大きな支持力（構造計算上：３．６４倍）を発揮し、Ｚ上端筋１Ｕ及びＺ下端筋１Ｄが２２mm径、Ｚトラス筋１Ｍが１６mm径の実施例Ｚ筋（図５（Ｂ））を用いれば、Ｚ筋１の配置間隔は、袖壁中心間距離ＬＡが３５００mm〜７０００mmのバルコニー床スラブでは、標準：１０００mm間隔に１本と、少ない本数で、大間隔配置と出来、バルコニー床スラブ型枠及び袖壁型枠構築時の配筋作業が簡便、且つ容易となる。
しかも、Ｚ筋１は、工場生産品となるため、品質保証された、均質品として建築現場に供給出来、バルコニーや袖壁の、施工業者の相違による、構造上のバラツキ及び安全性のバラツキが防止出来る。
【００２１】
また、バルコニー床スラブＳＢを熱遮断する断熱層４Ｂ、及び袖壁５を熱遮断する断熱層３Ｂが、共に、複合パネル２の断熱層２Ｂと同一材料で、且つ、同一厚さであるのが好ましい。
【００２２】
この場合、コンクリート打設用の型枠組み作業に於いて、Ｚ筋１を保持する断熱層４Ｂを複合パネル２の断熱層２Ｂの上面に整合配置し、連結筋１を保持する断熱層３Ｂを複合パネル２の断熱層２Ｂと左右整合配置するだけで、コンクリート外壁Ｗに対する断熱被覆が均斉に実施出来るため、型枠組み作業が容易であると共に、コンクリート外壁Ｗに対する、複合パネル断熱層２Ｂ、バルコニー断熱層４Ｂ、袖壁断熱層３Ｂが、同一断熱機能を奏することとなり、均斉な断熱被覆を備えた外壁構造となる。
【００２３】
また、外壁構造の発明にあっては、複合パネル断熱層２Ｂ、バルコニー床スラブ断熱層４Ｂ及び袖壁断熱層３Ｂは、例えば、図２（Ａ）、図８（Ａ）に示す如く、各断熱層２Ｂ，４Ｂ，３Ｂの端辺に形成したスリット溝２Ｇ，４Ｇ，３Ｇへの接合板３Ａの嵌入によって衝合当接するのが好ましい。
この場合、屋上庇スラブＲＢの断熱層４Ｂ、屋上パラペット断熱層３Ｂ´にも、スリット溝と接合板手段を適用するのが好都合である。
【００２４】
本発明にあっては、コンクリート建物躯体ＣＦの外表面を外断熱被覆するため、コンクリート外壁Ｗを被覆する各断熱層２Ｂ，４Ｂ，３Ｂの衝合端辺の中央にスリット溝２Ｇ，４Ｇ，３Ｇを備えることにより、接合板３Ａの嵌入衝合によって、各断熱層２Ｂ，４Ｂ，３Ｂ相互は、厚さ方向にずれを生ずることなく、あたかも１枚の断熱層の如く接続出来、コンクリート型枠組みが容易となる。
しかも、接合板３Ａは、コンクリート打設時のコンクリート圧に対抗出来るため、コンクリート型枠内での、各断熱層の位置保持用ＫＰコン１１Ａと協仂して断熱層２Ｂ，４Ｂ，３Ｂを位置保持するため、コンクリート建物躯体ＣＦに対する適正な断熱層被覆を提供する。
【００２５】
また、本発明の外壁構造にあっては、図５（Ｂ）に示す如く、Ｚ筋１の中間傾斜部１Ｓが、断熱層４Ｂ（３Ｂ）内で、断熱層厚ＴＢ全域に亘って傾斜配置して、断熱層４Ｂ（３Ｂ）に剛構造機能を付与しているのが好ましい。
【００２６】
この場合、断熱層４Ｂ（３Ｂ）の厚さＴＢ全域に亘って、Ｚトラス筋１Ｍによるトラス構造が導入出来ているため、それ自体は強度の小さな断熱層４Ｂ（３Ｂ）が、力学上は、コンクリート体に置換した構造となり、コンクリート躯体ＣＦと一体化したバルコニー床スラブＳＢ及び袖壁５は、断熱層３Ｂ，４Ｂも剛構造となって、Ｚトラス筋１ＭによるＺ上端筋１ＵとＺ下端筋１Ｄとの間への十分な応力中心距離Ｌ１５の付与と相俟って、コンクリートバルコニー床スラブＳＢ及びコンクリート袖壁５の垂直方向曲げモーメントによる撓み量が極端に低減（標準:バルコニー床スラブ基端：０．３mm以下）出来、バルコニー床スラブＳＢ及びコンクリート袖壁５の強固な支持が可能となる。
【００２７】
また、連結筋１，６は、図２（Ａ）に示す如く、コンクリート躯体ＣＦ内固着用の突出部ＡＰが屈曲してコンクリート躯体ＣＦ内で固定されているのが好ましい。
この場合、突出部ＡＰは、側方への屈曲でも、下方への屈曲でも良く、屈曲角は９０°が好ましい。
そして、突出部ＡＰを屈曲させれば、屈曲突出部ＡＰのコンクリート躯体ＣＦ内への配置が、図２（Ａ）の如く、外壁Ｗの厚さＴＷ（標準：１８０mm）内でも可能となる。
【００２８】
従って、バルコニー床スラブＳＢは、居住部床スラブＳＡと段差を保つ形態、即ち、直線延伸した突出部ＡＰが居住部床スラブＳＡ内で固定出来ない状態でも突出付設が可能となり、コンクリート袖壁５も、図２（Ａ）の如く、外壁Ｗからの付設が可能となり、バルコニー床スラブＳＢ及びコンクリート袖壁５の突設位置が自在となり、設計の自由度が向上する。
【００２９】
また、外壁構造の発明にあっては、複合パネル２が、コンクリート外壁Ｗより透湿抵抗の小さな発泡プラスチック系断熱層２Ｂと、該断熱層２Ｂより透湿抵抗の小さな外装下地材２Ａとを層着一体化したパネルであるのが好ましい。
【００３０】
この場合、標準厚ＴＷが１８０mm厚のコンクリート壁Ｗの透湿抵抗は、１２６ｍ２ｈmmＨｇ／ｇであるから、標準７５mm厚の断熱層２Ｂとしては、押出法ポリスチレンフォームを採用すれば、透湿抵抗は５２．５ｍ２ｈmmＨｇ／ｇとなり、外装下地材２Ａとして、１２mm厚のマグネシウムセメント板を採用すれば、透湿抵抗は１４ｍ２ｈmmＨｇ／ｇであり、複合パネル２として、押出法ポリスチレンフォーム板の７５mm厚断熱層２Ｂと、１２mm厚のマグネシウムセメント板２Ａとの積層パネルを用いれば、コンクリート外壁Ｗから外装下地材２Ａへと、順次、透湿抵抗が大から小に変化した構造に出来る。
【００３１】
従って、該複合パネル２を外断熱に張設した外壁は、室内の水蒸気が自然と外部に透過放出するものとなり、鉄筋コンクリートバルコニー、及び鉄筋コンクリート袖壁を突出付設した鉄筋コンクリート建築物は、外壁Ｗが透湿性外断熱被覆となって、内部結露が抑制出来ると共に、コンクリートバルコニー床スラブＳＢ、及びコンクリート袖壁５からも、建物内部への熱橋が抑制されて内部結露の発生が抑制出来、カビやダニの発生しない、住環境に優れた、省エネルギーの高品質住宅となる。
【００３２】
また、本発明の、バルコニー床スラブ支持用の断熱支持パネルは、図５（Ａ）に示す如く、横長形態の発泡プラスチック系断熱層４ＢにＺ筋１を貫通保持した、バルコニー床スラブＳＢを片持ち支持するための断熱支持パネル４であって、断熱層４Ｂは、上下方向に長孔形態の挿入用孔Ｈ１を備えて、厚さＴＢが、コンクリート壁Ｗを外断熱被覆する複合パネル２の断熱層２Ｂと同厚であり、高さ６ｈが、少なくとも、片持ち支持するバルコニー床スラブＳＢの基端Ｂｂの厚さＴＳであり、Ｚ筋１は、図５（Ｂ）に示す如く、Ｚ上端筋１ＵとＺ下端筋１Ｄとを、水平上辺部１Ｕ´、中間傾斜部１Ｓ及び水平下辺部１Ｄ´から成るＺトラス筋１Ｍで、上下に、応力中心距離Ｌ１５を保って一体化したものであり、断熱層４Ｂの挿入用孔Ｈ１から突出するＺ筋１の、一半の突出部ＡＰをコンクリート躯体ＣＦ内への固定部とし、他半の突出部ＢＰをバルコニー床スラブＳＢ内への固定部としたものである。
【００３３】
この場合、断熱層４Ｂは、バルコニー床スラブＳＢの基端Ｂｂ面を、左右全長に亘って熱遮断するものであり、断熱層４Ｂの横方向長さＬ４は、構造計算により使用Ｚ筋１の配置間隔を求め、且つ、取扱い、及び施工容易な長さに決定すれば良く、図１の、床スラブ厚ＴＳが１８０mmで、奥行きＬＢが１５００mmのバルコニー支持用として、Ｚ上端筋１Ｕに、径２２mm、１２００mm長、Ｚ下端筋１Ｄに、径２２mm、７６０mm長の鋼棒を、Ｚトラス筋１Ｍに１６mm径の鋼棒を適用して、応力中心距離Ｌ１５を９２mmで一体化したＺ筋１を採用すれば、袖壁５の中心間距離ＬＡが３５００〜７０００mmの場合は、Ｚ筋１の配置間隔は１０００mmとすれば、安全性の十分に保証されたものとなる。
従って断熱支持パネル４の長さＬ４は、典型的には、１本のＺ筋１を中央に備える長さとすれば良い。
【００３４】
また、Ｚ筋１の断熱層４Ｂへの挿通は、上下方向の長孔形態の挿入用孔Ｈ１への挿通であるため、断熱層４Ｂの穿孔による欠損を最少に抑制して実施出来、挿入用孔Ｈ１に対する断熱機能の修復作業も容易となる。
そして、断熱層４Ｂの高さ６ｈが、バルコニー床スラブＳＢの基端Ｂｂの厚さＴＳと、同寸又はそれ以上であるため、図１の如く、バルコニー床スラブＳＢを居住部床スラブＳＡから突出させる場合は、断熱層４Ｂの高さ６ｈを居住部床スラブＳＡの厚さＴＡと同寸とすることにより、型枠組み作業が容易となり、バルコニー床スラブＳＢを居住部床スラブＳＡから段差を保って突出させる場合でも、バルコニー床スラブ基端Ｂｂの外壁Ｗに対する熱遮断は保証出来る。
しかも、断熱支持パネル４は、工場での製作となるため、均質で、信頼性ある製品として準備出来、１枚のパネルに貫通保持するＺ筋は少ない（標準：１本）ため、保管、運搬も容易であって、広範囲の施工現場への展開が可能であると共に、該断熱支持パネル４で構築した片持ち支持バルコニーＢは、安全性の保証されたものとなる。
【００３５】
従って、Ｚ上端筋１ＵとＺ下端筋１Ｄとを、十分な応力中心距離Ｌ１５を保ってＺトラス筋１Ｍで一体化したＺ筋１は、床スラブＳＢの曲げモーメントによって生ずる、引張り応力にＺ上端筋１Ｕが対抗し、圧縮応力にＺ下端筋１Ｄが対抗するため、Ｚトラス筋１Ｍによる応力中心距離の付与と相俟って、バルコニー床スラブＳＢの片持ち支持に、必要、且つ、十分な支持力を発揮し、安全、且つ、撓み（標準基端変位：０．３mm以下）の極端に抑制されたコンクリートバルコニー床スラブＳＢが得られる。
【００３６】
また、バルコニー床スラブ支持用の断熱支持パネル４には、図５に示す如く、断熱層４Ｂの上面、下面、及び左右両側面の、他の断熱層との当接面の幅中央に、スリット溝４Ｇを配置しておくのが好ましい。
この場合、「他の断熱層」は、断熱層４Ｂに衝合当接するパネル断熱層２Ｂ、袖壁断熱層３Ｂ等の意である。
そして、断熱支持パネルの断熱層４Ｂは、上下左右の複合パネル２の断熱層２Ｂや、袖壁５を熱遮断する断熱層３Ｂと、面一に整合配置することにより、コンクリート外壁Ｗを均質に断熱被覆するものであるため、断熱層４Ｂの当接面にスリット溝４Ｇを備えておれば、図５（Ａ）に示す如く、型枠組み時に、隣接断熱層２Ｂ，３Ｂにも対応スリット溝を配置しておき、接合板３Ａを各断熱層２Ｂ，４Ｂ，３Ｂのスリット溝間に嵌入することにより、位置決め作業が容易となり、且つ上下、左右の衝合状態の維持が容易となり、バルコニー床スラブＳＢ、及び袖壁５の衝合当接による型枠構築作業が容易となる。
【００３７】
また、断熱支持パネル４にあって、Ｚ筋１は、図５（Ｂ）の如く、Ｚトラス筋１Ｍの中間傾斜部１Ｓが、外方から内方へと降下する４５°傾斜であり、中間傾斜部１Ｓを断熱層４Ｂの厚さＴＢ全域に介在して、断熱層４Ｂに剛構造機能を付与するのが好ましい。
【００３８】
本発明の断熱支持パネル４でバルコニーを支持すれば、Ｚ筋１は片持ち支持のため、下方への曲げモーメントによって、Ｚ上端筋１Ｕには引張り応力が、Ｚ下端筋１Ｄには圧縮応力が作用し、引張り応力と圧縮応力の界面中立軸に生ずる剪断応力は、理論上４５°となるため、４５°傾斜配置のＺトラス筋１Ｍが剪断応力に有効に対抗する。
しかも、Ｚトラス筋１Ｍは、Ｚ上端筋１Ｕの引張り応力対抗に助力する引張り応力対抗機能も奏する。
【００３９】
そして、Ｚトラス筋１Ｍは、断熱層４Ｂの全幅ＴＢ（標準：７５mm）に亘ってトラス構造を導入するため、それ自体は強度の小さな断熱層４Ｂが、力学上、コンクリート体に置換した剛構造となる。
従って、本発明のＺ筋１は、Ｚ上端筋１ＵとＺ下端筋１Ｄとの間への十分な応力中心距離Ｌ１５の付与と相俟って、断熱支持パネル４では、バルコニー床スラブ基端Ｂｂの曲げモーメントによる撓み量が極端に低減（標準：０．３mm以下）出来、バルコニー床スラブＳＢの強固な片持ち支持を可能とする。
【００４０】
また、本発明の、コンクリート袖壁支持用の断熱支持パネルは、図６に示す如く、縦長形態の発泡プラスチック系断熱層３Ｂに連結筋６を貫通保持した、コンクリート袖壁５を片持ち支持するための断熱支持パネル３であって、断熱層３Ｂは、正方形の挿入用孔Ｈ４を備え、厚さＴＢが、コンクリート壁Ｗを外断熱被覆する複合パネル２の断熱層２Ｂと同厚であり、左右幅Ｗ３が、コンクリート袖壁５の壁厚Ｔ５と、少なくとも同寸であり、連結筋６は単本形態であって、断熱層３Ｂの挿入用孔Ｈ４から突出する連結筋６の、一半の突出部ＡＰをコンクリート躯体ＣＦ内への固着部とし、他半の突出部ＢＰをコンクリート袖壁５内への固着部としたものである。
【００４１】
この場合、断熱層３Ｂは、コンクリート袖壁５の基端５ｂ面を、上下全長に亘って熱遮断するものであり、断熱層３Ｂの縦方向高さ３ｈは、構造計算によって使用連結筋６の配置間隔を求め、且つ、取扱い、及び施工性から決定すれば良いため、図１の、奥行きがバルコニー床スラブＳＢと同長の１５００mmで、厚さＴ５が１８０mm、階高１ｈが２７００mm、袖壁中心間距離ＬＡが３５００〜６０００mmのコンクリート袖壁支持用にあっては、径１６mmの異形棒鋼の９００mm長の連結筋６を単本形態で、上方バルコニー床スラブＳＢの下面Ｓｄから下方１５０mm（Ｌ５）、及び下方床スラブＳＢの上面Ｓｆから１５０mm（Ｌ５）位置に配置すれば構造計算上十分であり、図６（Ａ）の如く、階高２７００mmに対して、高さ３ｈが１３５０mmの断熱層３Ｂを２枚用意し、下端から１５０mm（Ｌ５）位置に連結筋６を貫通配置したパネル３を下側用とし、上端から３５０mm（床スラブ厚ＴＡ（２００mm）＋Ｌ５（１５０mm））位置に連結筋６を貫通配置したパネル３を上側用とすれば良い。
【００４２】
従って、連結筋６の断熱層３Ｂへの挿通も、正方形の挿入用孔Ｈ４への挿通であるため、挿入用孔Ｈ４形成時の穿孔による断熱層３Ｂの欠損が最少限に抑制出来、連結筋６挿通後の挿入用孔Ｈ４への耐火断熱材３Ｅ等の断熱材の充填による断熱機能修復作業も容易に実施出来る。
そして、断熱層３Ｂが複合パネル断熱層２Ｂと同厚であるため、コンクリート外壁Ｗの均等被覆が達成出来、断熱層３Ｂの幅Ｗ３が袖壁５の壁厚Ｔ５と同等以上であるため、図８（Ａ）の如く、コンクリート型枠組み時には、両側の複合パネル２の外装下地材２Ａの突出縁によって断熱層３Ｂが支承形態と出来、型枠組み作業が容易となり、且つ、打設コンクリート圧による断熱層３Ｂの変位も、両側の複合パネル２の支承形態によって抑制出来る。
【００４３】
しかも、断熱支持パネル３は、バルコニー用の断熱支持パネル４同様に、工場生産となるため、均質で、信頼性ある製品として準備出来、１枚のパネルに連結筋６の配置本数が少ない（標準：１本）ため、保管、運搬も容易であって、遠隔地への展開も容易であり、該断熱支持パネル３を採用した袖壁５は、断熱性及び安全性の保証されたものとなる。
【００４４】
また、袖壁用の断熱支持パネル３にあっては、図６に示す如く、断熱層３Ｂの、複合パネル断熱層２Ｂ等、他の断熱層との当接面の幅中央に、スリット溝３Ｇを配置しておくのが好ましい。
コンクリート袖壁の断熱支持パネル３は、コンクリート袖壁５の基端５ｂ全面をコンクリート外壁Ｗと熱遮断すると共に、バルコニー床スラブＳＢの基端Ｂｂ面をコンクリート外壁Ｗと熱遮断する断熱層４Ｂ、及びコンクリート外壁Ｗを断熱被覆する複合パネル２の断熱層２Ｂ等の他の断熱層と共に、コンクリート外壁表面Ｗｆを隙間無く覆う必要がある。
【００４５】
従って、断熱層３Ｂの両側面の幅中央のスリット溝３Ｇは、例えば図２（Ａ）、図８に示す如く、両側に位置する断熱層２Ｂ或いは断熱層４Ｂの、側面に付設したスリット溝２Ｇ，２Ｇ´，４Ｇとを整合当接させて接合板３Ａによって面一形態に接続出来るため、コンクリート袖壁の型枠構築時の断熱支持パネル３の、適正位置への衝合配置、及び適正位置での保持の作業が容易となる。
【００４６】
また、バルコニー床スラブ支持用の断熱支持パネル４、及びコンクリート袖壁支持用の断熱支持パネル３に用いる連結筋１，６は、断熱層３Ｂ，４Ｂの挿入用孔Ｈ１，Ｈ４を貫通し、挿入用孔Ｈ１，Ｈ４内では、図５（Ｃ）、図６（Ａ）の如く、断熱耐火材３Ｅで連結筋１，６を充填被覆保持するのが好ましい。
この場合、連結筋１，６は、断熱層３Ｂ，４Ｂ内の部位には耐火塗料１Ａを、突出部ＡＰ，ＢＰの部位には断熱性の錆止め塗料１Ｂを塗布しておくのが、特に好ましい。
【００４７】
そして、断熱耐火材３Ｅとしては、耐火性、断熱性に富み、鋏で切断出来る、例えば、カオウール（イソライト工業（株）、商品名）や、フイブロック（積水化学工業（株）、商品名）等でＺ筋１を被覆し、現場発泡ウレタンを注入充填すれば良い。
そして、断熱耐火材３Ｅで連結筋１，６を被覆すれば、断熱耐火材３Ｅと挿入用孔Ｈ１，Ｈ４との間に若干の空隙が出来るが、現場発泡ウレタンで充填すれば、連結筋１，６は、若干の上下左右動が許容され、型枠組み時の、連結筋１又は６の位置の微調整が可能な保持となり、断熱支持パネル３又は４の型枠組みに於ける、Ｚ筋１や単本連結筋６の配筋固定が容易となる。
【００４８】
そして、該連結筋１，６を貫入固定した、バルコニー支持用の断熱支持パネル４、及び袖壁支持用の断熱支持パネル３によって、図１の如く、バルコニー床スラブＳＢ及びコンクリート袖壁５を構築すれば、各連結筋１，６は、バルコニー床スラブＳＢ、及びコンクリート袖壁５の降下撓みに対抗する強度を常時負担しているが、各断熱層４Ｂ，３Ｂの部位では、連結筋１，６が断熱耐火材３Ｅによって保護されているため、火災時の断熱層４Ｂ，３Ｂの燃焼に際しても、連結筋１，６の加熱劣下による支持力低下が抑制出来、バルコニー床スラブ、及びコンクリート袖壁の耐火性が向上する。
しかも、連結筋１，６自体も、錆止め塗料１Ｂ及び耐火塗料１Ａを備えることにより、耐熱性の向上と共に、コンクリート内での防錆機能による耐久性の向上も期待出来る。
【００４９】
また、バルコニー支持用断熱支持パネル４、及び袖壁支持用断熱支持パネル３にあっては、図５、図６に示す如く、挿入用孔Ｈ１，Ｈ４の一側外面を、連結筋挿入用円孔Ｈ２，Ｈ２´，Ｈ３を備えた座板７で貼着閉止するのが好ましい。
【００５０】
この場合、座板７は、連結筋１としてのＺ筋用にあっては、図７（Ｂ）に示す如く、厚さ２〜３mmで挿入用孔Ｈ１の全体を覆う矩形のプラスチック板を採用すれば良く、各挿入用円孔Ｈ２，Ｈ２´，Ｈ３は、対応挿通用棒鋼１Ｕ，１Ｄ，１Ｍの径より若干（標準：３mm）大とし、また、単本形態の連結筋６用にあっては、図７（Ｃ）に示す如く、厚さ２〜３mmで、挿入用孔Ｈ４の全体を覆う正方形板とし、単本連結筋６の径より若干（標準：３mm）大きな円孔Ｈ６を配置し、断熱層４Ｂ，３Ｂの一方の面（典型的には外面）から挿入用孔Ｈ１，Ｈ４を閉止するように貼着すれば良い。
従って、挿入用孔Ｈ１，Ｈ４内への断熱耐火材３Ｅの被覆充填、現場発泡ウレタンの注入充填は、座板７がストッパーの役目を奏して作業が容易となり、連結筋１，６は、座板７を支点として、若干の上下左右回動が可能となって、コンクリート型枠組み時の配筋位置の微調整、及び位置固定作業が容易となる。
【００５１】
また、コンクリート袖壁５支持用の断熱支持パネル３、及びコンクリートバルコニー床スラブＳＢ支持用の断熱支持パネル４にあって、連結筋１，６の突出部ＡＰが、図２（Ａ）に示す如く、コンクリート躯体ＣＦ内固着用に、実質上９０°折曲しているのが好ましい。
【００５２】
この場合、折曲方向は、下方への９０°屈曲でも、側方への９０°折曲でも良く、コンクリート躯体ＣＦ内固着用の突出部ＡＰが折曲しておれば、コンクリートとの固着力が増加し、突出部ＡＰの短寸化が可能となり、屈曲先端に定着板６Ｃを固定しておけば、セメントとの固着力が更に増大し、突出部ＡＰのより短尺化が可能となる。
従って、コンクリート躯体ＣＦ側の突出部ＡＰが折曲したため、Ｚ筋１によるバルコニー床スラブＳＢの支持や、単本連結筋６による袖壁５の支持は、外壁Ｗ内への定着すら可能となり、バルコニー床スラブＳＢや袖壁５の付設位置が自在となり、建物設計の自由度が向上する。
【発明の効果】
【００５３】
本発明の鉄筋コンクリート造外断熱建物の外壁構造は、外壁Ｗから突出付設した鉄筋コンクリートバルコニーや、鉄筋コンクリート袖壁等が、コンクリート外壁Ｗから断熱層３Ｂ，４Ｂを介して熱遮断された形態で、支持連結筋１，６群のみによって片持ち支持されるため、突出付設物（バルコニー、袖壁等）のコンクリートから建物躯体ＣＦのコンクリート（コンクリート外壁等）への熱橋は、断熱層３Ｂ，４Ｂで遮断され、従来の如く、バルコニーや袖壁の突出付設物の外周面を断熱被覆する必要無く、突出付設コンクリート構造物からのコンクリート躯体ＣＦ側への熱橋作用が抑制出来た外壁構造が簡便に得られる。
【００５４】
また、鉄筋コンクリート造外断熱建物の外壁構造にあって、コンクリート外壁Ｗから突出付設するバルコニーや袖壁は、断熱層に支持用Ｚ筋、若しくは、単本形態の連結筋を貫通保持した、バルコニー床スラブ支持用の断熱支持パネル４、及びコンクリート袖壁支持用の断熱支持パネル３によって片持ち支持するため、コンクリート外壁Ｗ及びコンクリート突出付設物（バルコニー、袖壁）のコンクリート型枠組み時に、断熱支持パネル３，４を介在して型組みするだけで、バルコニー床スラブＳＢやコンクリート袖壁５が、コンクリート外壁Ｗに対して、熱遮断形態、且つ片持ち支持の連結形態に構築出来、作業性良く構築出来る。
【００５５】
しかも、コンクリート突出付設物の安全性、及び断熱性を左右する断熱支持パネル３，４は、工場生産品であるため、十分に安全の保証された、均質な製品として準備出来、製品としての保管、搬送も容易であって、広範囲の施工現場への展開が可能となり、該断熱支持パネル３，４の採用によって、構築されるコンクリート袖壁５やコンクリートバルコニーＢは、安全性の保証されたものとなる。
【００５６】
また、本発明の断熱支持パネル３，４は、断熱層３Ｂ，４Ｂが剥き出しであるため、コンクリート外壁Ｗを外断熱被覆する複合パネル２の断熱層２Ｂと当接衝合使用さえ出来れば良く、実施例で採用した、透湿性複合パネルであっても、通気条溝を内面に備えた押出成形セメント板と断熱層とを層着した、特許第３５２６５６２号の通気性複合パネルであっても、複合パネル２が密着型複合パネルであれば、断熱支持パネル３，４の採用は可能である。
【００５７】
また、コンクリート建物躯体ＣＦから突出付設するコンクリート構造物は、支持用連結筋１，６（典型的にはＺ筋１）群のみでバルコニー床スラブＳＢを片持ち支持し、コンクリート袖壁５は、下端が基礎梁ＦＧを介して基礎Ｆに支持され、バルコニー床スラブＳＢと袖壁５とは剛接合であって、袖壁５、基礎梁ＦＧ、及び基礎Ｆ、屋上床スラブＲＳ、バルコニー床スラブＳＢは、方形に接合したハニカム形状となり剛性が高い。
そして、バルコニー床スラブＳＢの負荷応力の一部は袖壁５に伝達し、袖壁５から基礎Ｆに伝達されるため、バルコニー床スラブＳＢを支持する連結筋１の間隔は大幅に拡げることが出来、居住部床スラブＳＡ及びバルコニー床スラブＳＢの配筋作業が容易となる。
【００５８】
また、突出付設するバルコニー床スラブＳＢ及び袖壁５は、袖壁５の中心間距離ＬＡより、袖壁５の厚さＴ５、袖壁５の配筋形態、連結筋６の形状などが決定出来、構造設計が容易となる。
そして、袖壁５は、基礎梁ＦＧを介して軸方向力を基礎Ｆに伝達し、袖壁５への風圧力は、バルコニー床スラブＳＢと袖壁５との剛接合により、バルコニー床スラブＳＢが負担するので、コンクリート躯体ＣＦと袖壁５とを連結する連結筋６は、負担が小さくなり、大間隔での配置が可能となる。
【発明を実施するための最良の形態】
【００５９】
〔実施対象外壁構造（図１、図２）〕
図１は、本発明の外壁構造の一部切欠斜視図であり、図２（Ａ）は、図１の外壁構造の横断面図である。
図１、図２（Ａ）に示す如く、コンクリート外壁Ｗは、壁厚（肉厚）ＴＷが１８０mmで、階高１ｈが２７００mmであり、外壁Ｗの外面Ｗｆを厚さＴ１が８７mmの複合パネル２で被覆したものであり、複合パネル２は、７５mm厚の発泡プラスチック系断熱層２Ｂに、１２mm厚のマグネシウムセメント板を外装下地材２Ａとして層着した、透湿性の密着型の複合パネルである。
【００６０】
また、水平に突設するバルコニー床スラブＳＢ及び庇スラブＲＢは、コンクリート躯体ＣＦの耐力壁としての壁厚ＴＷが１８０mmのコンクリート外壁Ｗから、バルコニー床スラブ支持用の断熱層４ＢがＺ筋１を１本貫通保持した、図５（Ａ）に示す断熱支持パネル４によって、且つ、各Ｚ筋１を９００mm間隔に配置して、バルコニー床スラブＳＢは居住部床スラブＳＡから、庇スラブＲＢは屋上床スラブＲＳから延長形態に、片持ち支持で突設したものであって、バルコニー床スラブは、厚さＴＳが１８０mm、奥行きＬＢが１５００mmであり、長辺先端縁には、高さｄ２及び厚さＰＷが共に１５０mmのパラペットＰを備えたものであり、庇スラブＲＢは、バルコニー床スラブＳＢと均等物であって、図１の如く、長辺先端縁から袖壁５上端に連なる、幅１５０mm（ＰＷ）、高さ３００mm（ｄ３）の屋上パラペットＰ´を備えたものである。
【００６１】
また、袖壁５は、袖壁５間の中心間距離ＬＡが６０００mmで配置したものであって、厚さＴ５が１８０mmで、階高１ｈ（２７００mm）の無開口袖壁であり、奥行きＬＢがバルコニーＢ及び庇スラブＲＢと同じ１５００mmであって、コンクリート袖壁連結用の、断熱層３Ｂが連結筋１を１本貫通保持した、図６（Ａ）に示す断熱支持パネル３を上下２枚接続して、図２（Ａ）に示す如く、外側の袖壁５は、コンクリート躯体ＣＦの側面の耐力壁外壁Ｗに当接し、断熱支持パネル３を介して耐力壁外壁Ｗから延長形態に突設し、中間の袖壁５は、断熱支持パネル３をコンクリート外壁Ｗに当接してコンクリート外壁Ｗから突出し、両側の袖壁５によって、バルコニー床スラブＳＢ及び庇スラブＲＢの長手方向両側端と剛接合し、且つ、下端を基礎梁ＦＧを介して建物基礎Ｆに剛接合したものである。
【００６２】
〔断熱支持パネル３（図６）〕
断熱支持パネル３は、図２（Ａ）に示す如く、コンクリート外壁Ｗに対して、コンクリート袖壁５を熱的に遮断して接続するものであり、図６（Ａ）は、断熱支持パネル３の２枚を上下接続して階高１ｈとした状態の斜視図である。
該パネル３は、２枚接続で用いる場合にあっては、各パネル共、断熱層３Ｂは、複合パネル２の断熱層２Ｂと同質の、ＪＩＳＡ９５１１の発泡プラスチック系断熱板であって、図６（Ａ）に示す如く、幅Ｗ３は２００mmで、コンクリート袖壁５の厚さＴ５（標準：１８０mm）より若干（２０mm）広幅とし、厚さＴＢは、複合パネル断熱層２Ｂと同寸の７５mmとし、高さ３ｈは、階高１ｈ（２７００mm）の１／２の１３５０mmとする。
【００６３】
そして、下側パネル３にあっては、下端から１５０mm（Ｌ５）の位置に、上側パネル３にあっては、上端から、居住部床スラブＳＡの厚さＴＡ（２００mm）＋１５０mm（Ｌ５）の位置に、長さ９００mm、１６mm径の異形棒鋼の１本を連結筋６として貫通固定し、図３（Ａ）に示す如く、下側パネル３の連結筋６は、バルコニー床スラブＳＢの上面Ｓｆから１５０mm（Ｌ５）上方に、上側パネル３の連通筋６は、バルコニー床スラブＳＢの下面Ｓｄから１５０mm（Ｌ５）下方に位置させるものである。
尚、連結筋６は、図６（Ｂ）に示す如く、中央の断熱層３Ｂ域に位置する部位には耐火塗料１Ａを、両側のコンクリート内への突出部ＡＰ，ＢＰには錆止め塗料１Ｂを塗布仕上げしたものである。
【００６４】
また、連結筋６の断熱層３Ｂへの貫通固定は、断熱層３Ｂに一辺４０mmの正方形の挿入用孔Ｈ４を穿設し、挿入用孔Ｈ４の一側外面（標準：袖壁５側）に、図７（Ｃ）に示す如く、一辺７Ｗが５０mmの正方形で、２〜３mm厚のプラスチック板に、挿入棒鋼（１６mm径）より若干（標準：３mm）大径の連結筋挿入用円孔Ｈ６を備えた座板７を貼着して、座板７で挿入用孔Ｈ４の一側外面を閉止し、連結筋６を座板７の挿入用円孔Ｈ６に挿入貫通して、挿入用孔Ｈ４内に耐火断熱材３Ｅとして、カオウール（イソライト工業（株）、商品名）を充填して挿入用孔Ｈ４を断熱修復し、次いで、挿入用孔Ｈ４内に現場発泡ウレタンを注入して連結筋６を断熱層３Ｂ内に保持する。
また、連結筋６の突出部ＡＰは、必要に応じて、外壁Ｗ内への定着用に９０°屈曲形態とする。
また、断熱層３Ｂの両側３Ｌ，３Ｒ面には、図６（Ａ）の如く、上下に亘るスリット溝３Ｇを配置する。
【００６５】
〔断熱支持パネル４（図５）〕
断熱支持パネル４は、バルコニー床スラブＳＢを片持ち支持するパネルであって、図５（Ａ）に示す如く、横長形態の発泡プラスチック系断熱層４ＢにＺ筋１を１本貫通保持したものであり、断熱層４Ｂは、袖壁用断熱支持パネル３の断熱層３Ｂの厚さＴＢと同厚７５mm、且つ、同一材質である。
【００６６】
そして、高さ６ｈは２００mm、幅（横長）Ｌ４は９００mmであり、幅方向中央の位置に、１個の、幅４０mm、高さ１３５mmの上下方向長孔をＺ筋挿入用孔Ｈ１として穿設し、該挿入用孔Ｈ１には、袖壁５用の断熱支持パネル３同様に、一側外面（標準：バルコニー側）に、図７（Ｂ）に示す如く、Ｚ筋１の３本の棒鋼を貫通するための円孔Ｈ２，Ｈ２´，Ｈ３を備えた座板７を貼着して、挿入用孔Ｈ１の外面を閉止し、座板７の挿入用孔Ｈ１に、図５（Ｂ）に示すＺ筋１を貫入し、断熱支持パネル３同様に、座板７で一側外面を閉止した挿入用孔Ｈ１内に、座板７をストッパーとしてカオウール（イソライト工業（株）、商品名）を充填し、現場発泡ウレタンを注入充填して、Ｚ筋を保持し、且つ、挿入用孔Ｈ１を断熱修復する。
【００６７】
そして、断熱層４Ｂの、左側４Ｌ及び右側４Ｒ両側面の中央には、スリット溝４Ｇを、両側に当接する断熱層４Ｂ（３Ｂ）との接合板３Ａを介した接続用に、上面４Ｕ及び下面４Ｄには浅い溝４Ｓを配置し、該溝４Ｓの中央にはスリット溝４Ｇを、上下に当接する断熱層２Ｂとの十字ジョイント１２を介した接続用に配置する。
即ち、バルコニー用の断熱支持パネル４は、図５（Ａ）に示す如く、Ｚ筋１を断熱層４Ｂの幅方向中央の位置に保持したものであって、各断熱支持パネル４を横方向に整合接続すれば、各Ｚ筋１群は９００mm間隔配置となるものである。
また、Ｚ筋１の突出部ＡＰは、必要に応じて、外壁Ｗ内での定着用に９０°屈曲形態とする。
【００６８】
〔Ｚ筋１（図５（Ｂ），（Ｃ）〕
Ｚ筋１は、バルコニー床スラブＳＢを片持ち支持する支持棒鋼であって、Ｚ筋１自体は、図５（Ｂ）に示す如く、Ｚ上端筋１Ｕと、Ｚ下端筋１Ｄとを、水平上辺部１Ｕ´、中間傾斜部１Ｓ及び水平下辺部１Ｄ´から成るＺトラス筋１Ｍにより、応力中心距離（Ｚ上端筋１Ｕの軸心とＺ下端筋１Ｄの軸心間距離）Ｌ１５を保って、水平上辺部１Ｕ´をＺ上端筋１Ｕ下面に、水平下辺部１Ｄ´をＺ下端筋１Ｄ上面に当接して、両側から溶接固着一体化したものである。
【００６９】
Ｚ筋１は、断熱支持パネル３にあっては、鉄筋コンクリート袖壁５を片持ち支持形態で支持する必要があり、断熱支持パネル４にあっては、鉄筋コンクリートバルコニー床スラブＳＢを片持ち支持形態で支持する部材であり、Ｚ筋１の各構成棒鋼の径、長さ、Ｚ筋１の配置間隔は、被支持体への負荷の構造計算に基づいて決定すれば良い。
即ち、曲げモーメントＭは一般式：Ｍ＝ａｔ×ｆｔ×ｊで表示される。
ここで、ａｔは、引張鉄筋棒鋼の断面積、ｆｔは、鉄筋棒鋼の許容引張応力度、ｊは、曲げ材の応力中心距離である。
上記一般式から明らかな如く、同一径の鉄筋棒鋼を採用しても、棒鋼の応力中心距離の値が支持力向上に極めて重要であるため、本発明にあっては、図５（Ｂ）の如く、Ｚトラス筋１Ｍの中間傾斜部１Ｓが断熱層３Ｂ（４Ｂ）厚ＴＢ全域に亘り、且つ、４５°傾斜の条件の下に、最大限の応力中心距離Ｌ１５を確保する。
【００７０】
そして、コンクリート外壁Ｗを断熱被覆する複合パネル２の断熱層２Ｂの厚さＴＢが７５mmであること、断熱支持パネル３の断熱層３Ｂも、断熱支持パネル４の断熱層４Ｂも、複合パネル２の断熱層２Ｂの厚さＴＢ（７５mm）と同一とすべきことより、図５（Ｂ）に示す如く、Ｚ上端筋１ＵとＺ下端筋１Ｄの間隔Ｌ１４を７０mmと設定すれば、Ｚトラス筋１Ｍの４５°傾斜の中間傾斜部１Ｓが、全て断熱層３Ｂ（４Ｂ）の厚さＴＢ（７５mm）内に収納出来、この場合、Ｚ上端筋１ＵとＺ下端筋１Ｄとに、２２mm径の棒鋼を採用すれば、Ｚ上端筋１ＵとＺ下端筋１Ｄとの応力中心距離Ｌ１５は、９２mm確保出来る。
【００７１】
そして、鉄筋棒鋼の径、長さは、垂直板形態で片持ち支持するコンクリート袖壁５よりも、水平板形態で片持ち支持し、安全性がより重要なバルコニー床スラブＳＢに対する性能（変位：１／４００以下）、と経済性から決定するが、図１の奥行きＬＢが１５００mm、厚さＴＳが１８０mmのバルコニー床スラブＳＢを、９００mm間隔のＺ筋１群で支持する場合の、Ｚ筋１の使用棒鋼の径１９mm、２２mm、２５mmを計算比較すれば次の表１のとおりである。
【００７２】
〔表１〕
径１９mm        径２２mm        径２５mm
Ｚ上端筋１Ｕの全長（mm）      １２７６        １２００        １１４４
Ｚ下端筋１Ｄの全長（mm）        ７９３          ７６０          ７２７
重量（kg／個所）                ４．７          ６．０          ７．５
出願時価格（円／個所）          ２９８          ３８１          ４７５
強度の余裕                      ３１％          ４３％          ５０％
バルコニー先端の変位量（mm）    １．５          １．２          ０．９
居住部床スラブＳＡと断熱層２Ｂとの当接部で、両側袖壁５間の中央での
変位量（mm）                    ０．３          ０．３          ０．３
変位                        １／７７７      １／９３３    １／１１６６
尚、Ｚトラス筋１Ｍは、全て径１６mmの異形棒鋼を、且つ、同一形態で採用する。
【００７３】
また、Ｚトラス筋１Ｍは、中間の傾斜部１Ｓが、図３の如く、断熱支持パネル４の断熱層４Ｂの全幅ＴＢ（７５mm）に亘って剛性を付与し、力学上、断熱層４Ｂに、打設コンクリートと同効の剛性機能を付与し、且つ、バルコニー床スラブＳＢの曲げモーメントにより生ずるＺ上端筋１Ｕの引張り応力を負担させ（Ｚトラス筋傾斜部１Ｓに負荷する張力は約６００kgであるが、径１６mmのＺトラス筋１Ｍの強度１５％で、まだ８５％の余裕がある）、応力中心距離Ｌ１５は、Ｚ上端筋１ＵとＺ下端筋１Ｄの間隔Ｌ１４を７０mm（４５°傾斜の中間傾斜部１Ｓ全域を断熱層４Ｂ内に収納する寸法）に設定して求めた。
【００７４】
従って、本発明の実施例のコンクリート床スラブＳＢは、奥行きＬＢが１５００mmで、床スラブ厚ＴＳが１８０mmの床スラブＳＢ内に、長さＬ４が９００mmの断熱支持パネル４の１枚にＺ筋１本配置し、各Ｚ筋１群を９００mm間隔配置するため、Ｚ筋１は、図５（Ｂ）に示す如く、径２２mmで長さＬ１０が１２００mmの異形棒鋼をＺ上端筋１Ｕとし、径２２mmで長さＬ１２が７６０mmの異形棒鋼をＺ下端筋１Ｄとし、Ｚトラス筋１Ｍとして、径１６mmの異形棒鋼で、中間傾斜部１Ｓが４５°傾斜、Ｚ字形状の高さＬ１４が７０mm、水平上辺部１Ｕ´及び水平下辺部１Ｄ´が各８０mmのものを用い、Ｚトラス筋１Ｍの水平上辺部１Ｕ´をＺ上端筋１Ｕの下面に当接し、Ｚトラス筋１Ｍの水平下辺部１Ｄ´をＺ下端筋１Ｄの上面に接続し、各当接部を両側から溶接して固着部ＺＵ，ＺＤで一体化し、Ｚ上端筋１ＵとＺ下端筋１Ｄとの間に、９２mmの応力中心距離Ｌ１５を付与したＺ筋１を製作する。
【００７５】
そして、Ｚ筋１の全長全周に亘り、図５（Ｂ）の如く、防蝕性、付着性、断熱性に優れたエポキシ樹脂の耐火コート下塗材（（株）エスケー化研、商品名）を、錆止め塗料１Ｂとして２回塗布し、断熱層４Ｂ内に位置する部位には、更に、ＳＫ耐火コート（（株）エスケー化研、商品名）を耐火塗料１Ａとして塗布する。
このＺ筋１は、バルコニー用断熱支持パネル４にあっては、図５の如く、９００mm間隔で配置すれば、実施例のバルコニー床スラブＳＢを、４３％の強度余裕を保って安全に片持ち支持する。
【００７６】
〔連結筋６（図６（Ｂ）〕
連結筋６は、袖壁５側からコンクリート躯体ＣＦに亘って延出し、袖壁５とコンクリート躯体ＣＦとを連結するもので、図６（Ｂ）に示す如く単本形態であって、袖壁５が地震力によって、前後方向に変位するのを阻止するもので、径が１６mmで長さＬ６が９００mmの異形棒鋼である。
【００７７】
本発明の実施例のコンクリート袖壁５は、奥行きＬＢがバルコニーＢと同様の１５００mmで、壁厚ＴＳが１８０mmの袖壁５内に、高さ３ｈ（１３５０mm）の断熱支持パネル３の１枚に連結筋６を１本配置し、階高１ｈ（２７００mm）を２分割する下側の断熱支持パネル３は、下方の床スラブＳＡ上面Ｓｆ´より上方に１５０mm（Ｌ５）の位置に、上側の断熱支持パネル３においては、上方の床スラブＳＡの下面Ｓｄより下方１５０mm（Ｌ５）の位置に、おのおの連結筋６を配置するもので、これは、バルコニー床スラブＳＢと袖壁５との接点の上方及び下方に連結筋６を配置することで、剛接合の補助を成すものである。
そして、Ｚ筋１同様、連結筋６の全長全周に亘り、図６（Ｂ）の如く、防蝕性、付着性、断熱性に優れたエポキシ樹脂の耐火コート塗材（（株）エスケー化研、商品名）を、錆止め塗料１Ｂとして２回塗布し、断熱層３Ｂ内に位置する部位には、更に、ＳＫ耐火コート（（株）エスケー化研、商品名）を耐火塗料１Ａとして塗布する。
【００７８】
〔外壁構造の構築〕
コンクリート外壁Ｗの一般壁部にあっては、階高１ｈ（２７００mm）の高さを有する密着型の複合パネル２を、外装下地材２Ａを外面にして捨型枠とし、コンクリート壁型枠を慣用の手法で構築し、バルコニーＢ突設部にあっては、断熱支持パネル４の高さ６ｈ（２００mm）だけ短寸化した複合パネル２を捨型枠として立設してコンクリート壁型枠を構築し、該型枠上にバルコニー床スラブ型枠を慣用の手法で水平突設する。
【００７９】
そして、該バルコニー床スラブ型枠内に、断熱支持パネル４の断熱層４Ｂを、コンクリート壁型枠の複合パネル２の断熱層２Ｂ上に整合載置する。
この場合、コンクリート型枠に採用する複合パネル２の断熱層２Ｂは、図５（Ａ）に示す如く、上下面及び両側面にスリット溝２Ｇが付設してあったため、垂直ブレード１２Ｆ及び水平ブレード１２Ｍを備えた十字ジョイント１２の、下方垂直ブレード１２Ｆを下方の複合パネル断熱層２Ｂ上面のスリット溝２Ｇ上に、上方垂直ブレード１２Ｆを断熱層４Ｂの下面のスリット溝４Ｇに嵌入して整合当接させる。
【００８０】
この場合、断熱層４Ｂの下面の浅い溝４Ｓは、十字ジョイント１２の水平ブレード１２Ｍを収容するため、複合パネル２の断熱層２Ｂ上面と、断熱支持パネル４の断熱層４Ｂ下面とは、衝合当接出来る。
そして、断熱支持パネル４のＺ筋１の、内方への突出部ＡＰを、慣用の手法で構築する居住部床スラブＳＡの型枠内に位置決めし、外方への突出部ＢＰを、バルコニー床スラブ型枠内に位置決めし、Ｚ筋１を型枠配筋内に確保する。
また、コンクリート袖壁型枠は、慣用の手法で外壁型枠から突出構築し、袖壁型枠内には、図３（Ａ）に示す如く、高さ３ｈが１３５０mmの断熱支持パネル３を順次上下接続して、断熱層３Ｂを複合パネル断熱層２Ｂ、及びバルコニー支持パネル断熱層４Ｂと整合配置する。
【００８１】
この場合、図８に示す如く、各断熱支持パネル３の上下接合部Ｊ３、及び上下適宜間隔に、前後両面から、それ自体慣用の、セパレータ１０Ｈ´を備えたＫＰコン１１Ａで、断熱支持パネル３を挟着し、アンカー１１Ｂで配筋内に固定し、各断熱支持パネル３の接合部Ｊ３及び適宜位置をコンクリート圧に対抗可能とする。
【００８２】
また、コンクリート袖壁型枠内に配置する断熱層３Ｂと、外壁型枠内の複合パネル断熱層２Ｂと、バルコニー床スラブ型枠内の断熱層４Ｂとの側面での当接衝合は、図５（Ａ）に示す如く、接合板３Ａの、一半をパネル２の断熱層２Ｂの側面のスリット溝２Ｇ及び断熱層４Ｂの側面のスリット溝４Ｇに嵌入し、他半を断熱層３Ｂの側面のスリット溝３Ｇに嵌入すれば、各断熱層２Ｂ，４Ｂ，３Ｂの面一での衝合接続が容易であり、外壁Ｗの出隅部にあっては、図８（Ａ）に示す如く、複合パネル２の断熱層２Ｂの、内側面での断熱層３Ｂとの当接面にスリット溝２Ｇ´を配置すれば、接合板３Ａの適用が可能である。
【００８３】
そして、慣用の手法で構築した、バルコニー床スラブ型枠内、及び袖壁型枠内に、各バルコニー支持用の断熱支持パネル４、及び袖壁支持用の断熱支持パネル３を配置し、各Ｚ筋１群及び連結筋を姿勢保持し、図４（Ａ）に示す如く、バルコニー床スラブＳＢ内の長手方向の上端筋９Ａ及び下端筋９Ｂを、袖壁５の型枠内に定着し、図３（Ｂ），（Ｃ）に示す如く、バルコニー床スラブＳＢの短辺方向の上端筋９Ｃ及び下端筋９Ｄを、バルコニーパラペットＰ型枠内に定着し、バルコニーパラペットＰ内の梁主筋１４を袖壁５の型枠内に定着する。
【００８４】
尚、袖壁５の型枠組みに際しては、中間の袖壁５の断熱支持パネル３は、図２（Ａ）の如く、連結筋６の突出部ＡＰを側方に９０°屈曲して先端に定着板６Ｃを固定し、屈曲突出部ＡＰを外壁Ｗの型枠内に定着する。
また、庇スラブＲＢも、バルコニー床スラブＳＢ同様の手法で型枠組みする。
この倍、図２（Ｃ）の如く、Ｚ筋１は、袖壁５のコンクリート表面から１５０mm（Ｌ９）で、間隔３００mm（Ｌ８）で配置すれば、４２０kg／ｍ２（積雪１４００mm）の負荷対抗可能となる。
【００８５】
そして、各コンクリート型枠内への配筋、定着が完了した後、各外壁型枠、バルコニー床スラブ型枠及び袖壁型枠にコンクリート打設すれば、図１に示す如く、鉄筋コンクリートのバルコニー床スラブＳＢは、基端Ｂｂが断熱層４Ｂでコンクリート外壁の外面Ｗｆと熱遮断され、鉄筋コンクリート袖壁５は、断熱層３Ｂでコンクリート外壁の外面Ｗｆと熱遮断されて突出付設し、一般壁部は、コンクリート外壁Ｗの外面を複合パネル２の断熱層２Ｂで外断熱被覆され、バルコニー床スラブＳＢの側端Ｂｓ、及びバルコニーパラペット側端Ｐｓがコンクリート袖壁５と剛構造接合した外壁構造が得られる。
【００８６】
得られる外壁構造にあっては、コンクリート外壁Ｗの全露出表面Ｗｆが複合パネル２で断熱被覆されており、透湿抵抗は、１８０mm厚のコンクリート外壁Ｗ、７５mm厚の断熱層２Ｂ、１２mm厚のマグネシウムセメント板（外装下地材）２Ａと、順次、内方から外方に減少しているため、外壁は、外断熱被覆されて、コンクリート躯体ＣＦ内部の水蒸気を外方に自然放出し、内部結露の発生が無くて、カビやダニの発生の抑制された、しかも、外断熱で省エネルギー、及び耐久性に富む高品質建物となる。
【００８７】
そして、外壁Ｗからのバルコニーや袖壁等の突出物は、バルコニー床スラブＳＢ及び庇スラブＲＢは、基端ＢｂがＺ筋１群で片持ち支持され、側端Ｂｓが袖壁５と剛接合一体化し、袖壁５は、基端５ｂが連結筋６群で連結され、下端が基礎梁ＦＧを介して基礎Ｆ´と一体化し、且つ、突出付設物は、方形角筒形態（ハニカム形状）でコンクリート外壁Ｗと熱遮断形態となるため、コンクリート外壁Ｗからの突出物は、コンクリート建物躯体ＣＦへの熱橋作用が均斉に抑制され、且つ、強固に支持されたものとなる。
従って、本発明によって、鉄筋コンクリート外断熱建物に対する鉄筋コンクリートの突出付設物の構築が、熱橋作用の抑制の下に、及び強固な支持形態の下に可能となり、且つ、突出付設物が所望に応じて自由に付設可能となる。
【００８８】
〔その他〕
鉄筋コンクリートの建物躯体ＣＦへのコンクリートバルコニー床スラブＳＢ及びコンクリート袖壁５の付設に際しては、バルコニー床スラブＳＢの両側端で支持する両側のコンクリート袖壁５間の中心間距離ＬＡ、袖壁５の厚さＴ５、バルコニー床スラブＳＢの厚さＴＳ等に基づく構造計算で、袖壁５内の壁縦筋８Ａの単配筋か複配筋か、袖壁支持連結筋の形状、本数、バルコニー床スラブ内のＺ筋１の配置間隔、及び袖壁表面５ｆからバルコニー支持Ｚ筋までの距離を求めれば、安全性の保証された各種サイズのバルコニー床スラブＳＢの構築が可能となる。
各種サイズのバルコニー床スラブＳＢの構築可能条件を試算したところ、次の表２のとおりである。
【００８９】
〔表２〕
袖壁の中心間距離    ３５００超      ５０００超      ６０００超      ７０００超
ＬＡ(mm)        ５０００以下    ６０００以下    ７０００以下  ８００００以下
袖壁５の厚さＴ５    １,２階建１２０                  両端２００
（mm）        ３〜５階建１５０    １８０        中央１８０      １８０    
バルコニー床スラブＳＢ
の厚さＴＳ（mm）      １８０        １８０          ２００          １８０    
袖壁５の配筋形態    シングル（単）  ダブル（複）    ダブル（複）    ダブル（複）
配筋          配筋            配筋            配筋      
連結筋６の        階高に対して      階高に対して      階高に対して  階高に対して
形状・本数      単本形態で２本    単本形態で２本    Ｚ筋１を３本  Ｚ筋１を３本
バルコニー床スラブＳＢの
Ｚ筋１の配置間隔（mm）  １０００      １０００      １０００        ５００  
袖壁表面５ｆからバルコニー
支持Ｚ筋１までの距離（mm）５００        ５００        ５００        ２５０  
【００９０】
袖壁５の中心間距離ＬＡを、３５００mm超５０００mm以下の場合：
袖壁５の壁厚Ｔ５は、１，２階の建物では１２０mm厚、３階から５階建てでは、１５０mm厚となり、袖壁５内の壁縦筋８Ａの配筋は、シングル（単）配筋で良く、これは、袖壁５が支持する、バルコニー床スラブＳＢの負担が、中心間距離ＬＡが短いために小さくなることからである。
また、袖壁５の中心間距離ＬＡの下限を３５００mmとしたのは、袖壁５は、バルコニーＢの使用上から隣戸との境界に設置するので、それ以下は、考えにくいことからである。
尚、バルコニー床スラブＳＢの厚さＴＳ（１８０mm）、連結筋６の形状、本数、及びバルコニー床スラブＳＢのＺ筋１の配置間隔は実施例と同様で良い。
【００９１】
また、袖壁５の中心間距離ＬＡが６０００mm超、７０００mm以下の場合：
（イ）、両端の袖壁５の壁厚Ｔ５は、２００mmと大きくなるが、これは、両端の袖壁５は、片側でしかバルコニー床スラブＳＢが付設しないので、中心間距離ＬＡが長くなり、バランスが悪くなったことからである。
（ロ）、バルコニー床スラブＳＢの厚さＴＳが２００mmと大きくなるが、これは、中心間距離ＬＡが大きくなったことにより、水平板(バルコニー床スラブ)の断面二次モーメントを大きくして、撓みや曲げに抵抗させるためである。
（ハ）、連結筋６にバルコニー床スラブＳＢを支持するＺ筋１，６を階高１ｈ（２７００mm）内に３本配置して、屋上床スラブＲＳや上方の袖壁５からの軸方向力、及びバルコニー床スラブＳＢの負荷を、Ｚ筋１を介してコンクリート躯体ＣＦに一部伝達させるためであり、袖壁５の中心間距離が大きくなったことによる。
尚、袖壁５内の配筋（ダブル配筋）、バルコニー床スラブＳＢを支持するＺ筋１の間隔は、実施例と同様である。
【００９２】
また、袖壁５の中心間距離ＬＡが７０００mm超、８００００mm以下の場合：
（ニ）、バルコニー床スラブＳＢ支持のＺ筋１の間隔が小さく（半分）なる。
これは、袖壁５の中心間距離ＬＡが大きくなるため、バルコニー床スラブＳＢの負荷の大部分は、袖壁５に伝達せずに、袖壁５の近傍部（略１７００mm）のみを袖壁５に伝達するものである。
（ホ）、連結筋６には、バルコニー床スラブＳＢを支持するＺ筋１，６を採用。
これは、袖壁５の中心間距離ＬＡが大きくなったことによるもので、Ｚ筋１を３本採用して、バルコニー床スラブＳＢの荷重の一部、上方からの軸方向力の一部をコンクリート躯体ＣＦに伝達させるので、基礎梁ＦＧや基礎Ｆの負担は軽減され、断面形状、配筋量は低減されることになる。
尚、袖壁５の中心間距離ＬＡの上限を８００００mmとしたのは、日本建築学会の基準からで、これ以上長い建物は、エキスパンジョイント（建築物などの構造体を物理的に分離させて接合する方法。温度変化や振動による躯体の変化、又は、地盤沈下などによる変化を別々に制御する）を設けて、原則では別構造体とすることからである。
【００９３】
上記表２より、袖壁５の中心間距離ＬＡが６０００mm〜８００００mmであれば、袖壁５支持用の連結筋はＺ筋１が好ましくなる。
図７（Ａ）はＺ筋１を配置した袖壁用断熱支持パネル３の斜視図である。
即ち、図７（Ａ）の断熱支持パネル３は、図６（Ａ）の断熱支持パネル３に於いて、単本形態の連結筋６に換えてＺ筋１を適用したものであり、図７（Ａ）は階高１ｈに３枚縦接して使用するタイプ例であるが、断熱層３Ｂの高さ３ｈ、Ｚ筋１の貫入位置は、表２での連結筋の使用本数を勘案して適宜に決定すれば良い。
【００９４】
また、実施例にあっては、屋上床スラブＲＳから突出する庇スラブＲＢも、バルコニー床スラブＳＢ同様に、Ｚ筋１を備えた断熱支持パネル４Ｂによって屋上床スラブＲＳと熱遮断して突設したが、水平突出物としての庇スラブＲＢは、図９に示す如く、庇スラブＲＢの下面に連なる袖壁５は断熱支持パネル３で突出し、且つ、庇スラブＲＢは、屋上床スラブＲＳの連続体として、従来手段で一体に構築することも可能である。
この場合、図９（Ｂ）に示す如く、庇スラブＲＢの下面及び上面を、図１１（Ａ），（Ｂ）の従来例２と同様の手法で、断熱層被覆すれば、得られる外壁構造にあっては、コンクリート外断熱建物の屋上部のみは、若干熱橋を生ずるものとなるが、コンクリート建物の最下階から最上階までの居住部Ａの外壁面からの建物躯体ＣＦ内への熱橋作用は抑制出来るため、本発明の所期の目的、効果は達成出来る。
【００９５】
そして、実施例にあっては、図２（Ｃ）に示す如く、屋上の水平コンクリート突出物の庇スラブＲＢ及び屋上パラペットＰ´用の断熱層４Ｂ，３Ｂ´による型枠組みは注意力を要する作業であったが、屋上コンクリート突出物（屋上庇スラブＲＢ、屋上パラペットＰ´）のみを従来手法で構築する場合は、図９（Ｂ），（Ｃ）に示す如く、単に、袖壁５用の断熱支持パネル３の断熱層３Ｂを、外壁被覆の複合パネル２の断熱層２Ｂ及び庇スラブＲＢ下面の複合パネル２の断熱層２Ｂ間に嵌入当接で配置するのみで良くなる。
従って、図９の手法で構築する庇スラブＲＢ及び屋上パラペットＰ´は、実施例で得られるものより熱橋阻止機能では劣るものの、コンクリート型枠組みの作業性で有利である。
【００９６】
また、実施例では、バルコニー床スラブＳＢを居住部床スラブＳＡから延出形態で突設したが、断熱支持パネル４のＺ筋突出部ＡＰを９０°屈曲してコンクリート外壁Ｗ内に定着することも可能であり、この場合は、バルコニー床スラブＳＢが居住部床スラブＳＡと段差のある場合の対処手段として有効である。
また、実施例では、複合パネル２と断熱支持パネル４との、各断熱層の上下接合に、十字ジョイント１２を採用したが、十字ジョイント１２に換えて接合板３Ａを採用することも可能であり、この場合は、断熱支持パネル４の断熱層４Ｂの上下面への浅い溝４Ｓの配置は不要となる。
【図面の簡単な説明】
【００９７】
【図１】本発明外壁構造の一部切欠斜視図である。
【図２】本発明の外壁構造の説明図であって、（Ａ）は要部横断面図、（Ｂ）は要部縦断面図、（Ｃ）は（Ｂ）の矢印Ｃ−Ｃ視図である。
【図３】本発明の要部説明図であって、（Ａ）は袖壁の縦断面図、（Ｂ），（Ｃ）は、それぞれパラペットへのバルコニー床スラブ筋の定着形態説明図である。
【図４】本発明の袖壁の断熱支持パネル３とバルコニーの断熱支持パネル４との関係説明図であって、（Ａ）は縦断面図、（Ｂ）は（Ａ）のＢ部拡大図、（Ｃ）は（Ａ）のＣ部拡大図である。
【図５】本発明の、バルコニー用断熱支持パネル４の説明図であって、（Ａ）は断熱支持パネル４と複合パネル２との接合状態説明図、（Ｂ）はＺ筋の正面図、（Ｃ）はＺ筋の要部拡大図である。
【００９８】
【図６】本発明の、袖壁用断熱支持パネルの説明図であって、（Ａ）は断熱支持パネル３の使用状態説明図、（Ｂ）は単本形態連結筋６の正面図である。
【図７】本発明の説明図であって、（Ａ）は袖壁用断熱支持パネル３の変形例斜視図、（Ｂ）はＺ筋用座板の斜視図、（Ｃ）は単本形態連結筋用座板の斜視図である。
【図８】本発明の要部拡大図であって、（Ａ）は袖壁基端部の横断面図、（Ｂ）は（Ａ）の矢印Ｂ視図である。
【図９】本発明の変形例図であって、（Ａ）は屋上部の一部切欠斜視図、（Ｂ）は屋上部の縦断面図、（Ｃ）は（Ｂ）の矢印Ｃ−Ｃ視図である。
【図１０】従来例１の説明図であって、（Ａ）はバルコニー縦断面図、（Ｂ）は鉄筋ユニット正面図、（Ｃ）は鉄筋ユニット平面図である。
【図１１】従来例図であって、（Ａ）は従来例２の横断面図、（Ｂ）は従来例２の縦断面図であり、（Ｃ）は従来例３の横断面図、（Ｄ）は従来例３の縦断面図である。
【符号の説明】
【００９９】
１      Ｚ筋（連結筋）
１Ａ    耐火塗料
１Ｂ    錆止め塗料
１Ｄ    Ｚ下端筋
１Ｄ´  水平下辺部
１Ｍ    Ｚトラス筋
１Ｓ    中間傾斜部
１Ｕ    Ｚ上端筋
１Ｕ´  水平上辺部
２      複合パネル
２Ａ    外装下地材
２Ｂ，３Ｂ，３Ｂ´，４Ｂ    断熱層
２Ｇ，２Ｇ´，３Ｇ，４Ｇ    スリット溝
３      袖壁用断熱支持パネル（断熱支持パネル、支持パネル）
３Ａ    接合板
３Ｅ    断熱耐火材（耐火被覆材）
４      バルコニー用断熱支持パネル（断熱支持パネル、支持パネル）
５      鉄筋コンクリート袖壁（コンクリート袖壁、袖壁）
５Ｂ    屋上断熱層
５ｂ    袖壁基端（基端）
６      単本連結筋（連結筋）
６Ｃ    定着板
７      座板
８，８´  壁筋
８Ａ    壁縦筋（縦筋）
８Ｂ    壁横筋（横筋）
８Ｃ，８Ｃ´    幅止め筋
【０１００】
９Ａ    長辺方向上端筋
９Ｂ    長辺方向下端筋
９Ｃ    短辺方向上端筋
９Ｄ    短辺方向下端筋
１０Ｈ´  セパレータ
１１Ａ    ＫＰコン
１１Ｂ    アンカー
１２    十字ジョイント
１２Ｆ  垂直ブレード
１２Ｍ  水平ブレード
Ａ      居住部 
ＡＰ，ＢＰ    連結筋突出部（突出部）
Ｂ      バルコニー
Ｂｂ    バルコニー基端（基端）
Ｂｓ    バルコニー床スラブ側端（側端）
ＣＦ    コンクリート建物躯体（コンクリート躯体、躯体）
Ｈ１，Ｈ４    挿入用孔
Ｈ２，Ｈ２´，Ｈ３，Ｈ６  連結筋挿入用円孔（貫入用円孔）
Ｊ３    上下接合部（接合部）
ＬＡ    袖壁中心間距離（中心間距離）
Ｌ１５  応力中心距離
Ｐ，Ｐ´  パラペット
Ｐ´ｂ  パラペット基端
Ｐｓ    パラペット側端
ＲＢ    庇スラブ
ＲＳ    屋上床スラブ
ＳＡ    居住部床スラブ
ＳＢ    バルコニー床スラブ
Ｓｄ    バルコニー床スラブ下面（床スラブ下面）
Ｓｆ，Ｓｆ´    コンクリート床上面（床スラブ上面）
Ｗ      コンクリート外壁（外壁）
Ｗｆ    外壁表面（表面）
ＺＤ，ＺＵ  固着部
【図１】
2008127754.tif 000003
【図２】
2008127754.tif 000004
【図３】
2008127754.tif 000005
【図４】
2008127754.tif 000006
【図５】
2008127754.tif 000007
【図６】
2008127754.tif 000008
【図７】
2008127754.tif 000009
【図８】
2008127754.tif 000010
【図９】
2008127754.tif 000011
【図１０】
2008127754.tif 000012
【図１１】
2008127754.tif 000013